(57)【要約】      （修正有）【課題】スイング時の方向性が良く、飛距離がアップするゴルフグリップを提供する。【解決手段】先端部１１より後部１３にかけてその外形をほゞ平行状に形成してこの部分に利き腕となる片方の手を添える。後部１３より緩やかなテーパ状カーブとなし且つ後部中間１４より端部１２にかけて曲線状となる急傾斜部１５を形成してこの部分に他方の手を添える。【選択図】図２
0003145919.tif 000002
【実用新案登録請求の範囲】
【請求項１】
ゴルフクラブのシャフトに嵌合される生ゴム等の素材で構成されるゴルフグリップにおいて、先端部より後部にかけてその外形をほゞ平行状に形成するとともに後部より緩やかなテーパ状カーブとなし且つ後部中間より端部にかけて曲線状となる急傾斜部を形成し、該急傾斜部に連なる終端部に丸みを付したことを特徴とするゴルフグリップ。
【請求項２】
前記グリップは全長がほゞ２７０ｍｍ、後部より終端部に至るまでの長さが８０ｍｍ、先端部より後部までの外径が２０ｍｍ台と細く、後部中間が３３ｍｍ程度、急傾斜部端の最大径が４０ｍｍ程度と太く形成したものであることを特徴とする請求項１記載のゴルフグリップ。
【考案の詳細な説明】
【技術分野】
【０００１】  本考案は、方向性が良く飛距離がアップするゴルフグリップに関する。
【背景技術】
【０００２】  ゴルフクラブのグリップは、把持したときに握りやすく滑りにくいものが要求されるためグリップの表面に凹凸を付したり複数の素材を積層して形成するものや、全体に角度を付けてテーパ状としたものなど種々工夫されている（例えば特許文献１〜４参照）。
【特許文献１】特開２００６−１１００１６号公報
【特許文献２】特開平１０−１５１３３号公報
【特許文献３】特開２００２−３２０６９３号公報
【特許文献４】登録実用新案第３１１３５０７号公報
【考案の開示】
【考案が解決しようとする課題】
【０００３】  特許文献１に記載のものは、雨天時の使用において滑りにくくフィット感を持たせるために合成樹脂等の比較的剛性の高い本体の表面に天然ゴム組成物を被覆したことを特徴とした二重構造のものであり、グリップ自体が単一素材でないため製造コストがかかるという問題と雨天時の使用を念頭においているため晴天時にはさほどの有用性が認められないなどの懸念がある。【０００４】  特許文献２に記載の技術は、ヘッド側に重心が寄ることなく握り時に安定感をもつことのできるゴルフクラブに関わるものであり、そのためにグリップ該当個所のシャフトの径を端部に向かって大きくなるテーパ状段部としたもので、当然ながらグリップも端部に向かって徐々に径が拡大するテーパ状に形成したことを特徴としている。この技術はシャフト自体をテーパ状に形成するというものであるからグリップもこのような特定形状のシャフトに合わせる必要があり、既存のゴルフクラブにそのまゝ適応できない等の不利がある。【０００５】  特許文献３に記載のものは、握りやすく且つ滑り難くするためにグリップの外径のテーパ率を２％以下とした構成を特徴としたもので、それまでの従来グリップのテーパが４％以上であったものを改良した点を強調した技術であるが、単に従来品と比較してなだらかなテーパとしたに過ぎず、初心者や握力の弱いプレーヤなどが把持しやすいといった利点以外の効果は窺知されない。【０００６】  特許文献４に記載の技術は、テーパ状としたゴム製グリップの後部に外周面を凹凸形状とした滑り止めの弾性管を取り付けたことを特徴としたものであり、滑り止め効果は所期されてもゴム製のグリップに更に弾性管を取り付けるためその分製造コストがかゝるという問題点がある。【０００７】  本考案は簡単な構造ながら握り具合がよく、既存のシャフトに実施できて方向性もよく、飛距離のアップを可能としたゴルフグリップを提供することを目的としている。
【課題を解決するための手段】
【０００８】  上記目的を達成するために本考案は、ゴルフクラブのシャフトに嵌合される生ゴム等の素材で構成されるゴルフグリップにおいて、先端部より後部にかけてその外形をほゞ平行状に形成するとともに後部より緩やかなテーパ状カーブとなし且つ後部中間より端部にかけて曲線状となる急傾斜部を形成し、而して該急傾斜部に連なる終端部に丸みを付したことを特徴とするゴルフグリップである。【０００９】  前記グリップは全長がほゞ２７０ｍｍ、後部より終端部に至るまでの長さが８０ｍｍ、先端部より後部までの外径が２０ｍｍ台と細く、後部中間が３３ｍｍ程度、急傾斜部端の最大径が４０ｍｍ程度と太く形成したものであることを特徴としている。
【考案の効果】
【００１０】  本考案は従来例に示したテーパ形グリップのように先端部から終端部までの全体が連続状の傾斜角度を有するものではなく、利き腕が右の場合、右手の手のひらが触れる長尺部分の外形はほゞ平行状としてあるので握りやすく、このとき左手は緩いテーパ状の後部から太くした急傾斜部にかけてフィットできるため確固とした握り感触が得られクラブスイング時にグリップの握り具合が安定する。急傾斜部は曲線状としてあるため手のひらの小指側膨隆面が密着支持されてスイング時に妄動することがなく、フェース面が的確にボールを捕捉するとともにヘッドを大きく前に出すことができて方向性がよく飛距離を大幅にアップすることができる。また握り具合が良いため握力の弱い女性やシニア等が使用するにも最適な製品といえる。
【考案を実施するための最良の形態】
【００１１】  図面に基づき本考案を説明すると、図１は生ゴムからなる本案グリップ１０を取り付けたゴルフクラブの概略を示し、１は先端部にヘッド２を設けたシャフトであり、該シャフト１は通常使用されている形体のものを使用でき、グリップ１０を取り付けるための特別な加工を必要とせず、クラブの種類も特に限定はない。【００１２】  図２は本案グリップ１０の外観を示したもので先端部１１（図では下端位置）から終端部１２（図では上端位置）までの全長は２７０ｍｍあり、先端部１１から後部１３までは全体の長さの三分の二強である１９０ｍｍあるため後部１３から終端部１２までの長さは８０ｍｍとなる。先端部１１がやゝ細径であるが太さは微差であるため後部１３までの外形の太さはほゞ平行状に目視される。好ましくは先端部２の外径が２０．４ｍｍで後部３周辺は２５ｍｍとする。【００１３】  後部１３より緩やかなテーパ状カーブが形成され、後部中間１４付近では外径が３３ｍｍ程度とやゝ太くなり、そして後部中間１４より端部にかけて急傾斜部１５が形成される。この急傾斜部１５も曲線状となっていて、急傾斜部１５に前記終端部１２が丸みを帯びて連なっている。【００１４】  急傾斜部１５端の外径は最大４０ｍｍあり、したがってグリップ１０はあたかも野球のバットのような外観を呈している。図３に示すようにグリップ１０を握ったときに右利きの場合、当然ながら右手は先端部１１から後部１３の間に位置するので従来どおり違和感のない握り感触が得られる。他方左手の夫々の指は後部１３から急傾斜部１５にかけて納まり、それらの指が後部１３の緩いテーパ状部と急傾斜部１５の持つ曲線状面とのバランス良い曲折位置に適合する。【００１５】  すなわち従来品は平板なテーパ状部を形成したにすぎないが、本考案において位置決めされる指は夫々に相応しい適度な傾斜位置に納まり、スイング時に接触面の摩擦力も働いてクラブを大振りしても所謂ブレを生じることがなく、方向性が良いためアイアンに適し飛距離アップにつながるため通常の既存のグリップを取り付けたクラブに比較したとき、本案グリップを取り付けたクラブ使用時の飛距離は１５ヤード〜２０ヤードも延びるという好結果が得られた。【００１６】  なお本考案は寸法、材質などは上記したところに限定されるものではなく、具体的に示した数値は一例であるから、同じ目的効果を奏する範囲において女性などの場合、前記した数値とは異なることが想定されることは当然であり、グリップ１０の素材も生ゴム以外の合成ゴム、合成樹脂などで形成できること勿論である。しかして本案グリップは完成時に前述した構成であれば良く、たとえば先端部１１から後部１３にかけてと、後部１３から終端部１２に至る個所を別体とし、それらを接合するなどして形成することもできるが、これらも本考案の実施の範疇に属するものである。
【図面の簡単な説明】
【００１７】
【図１】本案グリップを取り付けたゴルフクラブの概略図である。
【図２】本案グリップを示す拡大図である。
【図３】本案グリップの使用例を示す概略図である。
【符号の説明】
【００１８】  １０    グリップ
１１    先端部
１２    終端部
１３    後部
１４    後部中間
１５    急傾斜部
【図１】
0003145919.tif 000003
【図２】
0003145919.tif 000004
【図３】
0003145919.tif 000005